(57)【要約】【課題】近赤外領域の画像を高精度に撮影する。【解決手段】複数の異なる近赤外領域において被写体の顔画像を撮像手段により撮影するための照明装置であって、前記被写体の顔全体の部分を収容し略球状の空間が形成された筐体と、前記球状の面において前記被写体の左右対象の位置にそれぞれ１又は複数配置し、前記筐体の空間内に光を照射する少なくとも２つの光源と、前記光源による光が照射された前記顔全体の部分を撮影する撮像手段とを有し、前記光源の前に設置される紫外線及び赤外線を遮断する第１のフィルタと、前記撮像手段のレンズの前に設置される光量を調整する第２のフィルタ及び前記複数の異なる近赤外領域に対応させたバンドパスフィルタリングを行う第３のフィルタとを有することにより、上記課題を解決する。【選択図】図３
2011209265.tif 000002
【特許請求の範囲】
【請求項１】
複数の異なる近赤外領域において被写体の顔画像を撮像手段により撮影するための照明装置であって、
前記被写体の顔全体の部分を収容し略球状の空間が形成された筐体と、
前記球状の面において前記被写体の左右対象の位置にそれぞれ１又は複数配置し、前記筐体の空間内に光を照射する少なくとも２つの光源と、
前記光源による光が照射された前記顔全体の部分を撮影する撮像手段とを有し、
前記光源の前に設置される紫外線及び赤外線を遮断する第１のフィルタと、前記撮像手段のレンズの前に設置される光量を調整する第２のフィルタ及び前記複数の異なる近赤外領域に対応させたバンドパスフィルタリングを行う第３のフィルタとを有することを特徴とする照明装置。
【請求項２】
前記光源からの光が前記被写体に直接照射されないように、前記筐体内部に第１の遮光板を有することを特徴とする請求項１に記載の照明装置。
【請求項３】
前記撮像手段のレンズの前に第２の遮光板を有することを特徴とする請求項１又は２に記載の照明装置。
【請求項４】
前記第２のフィルタ及び第３のフィルタの種類を変更するためのスライド機構を有することを特徴とする請求項１乃至３の何れか１項に記載の照明装置。
【請求項５】
前記筐体内部は、所定の塗料を重ね塗りすることを特徴とする請求項１乃至４の何れか１項に記載の照明装置。
【請求項６】
前記光源は、近赤外領域を撮影するためのハロゲン光源又はＬＥＤであることを特徴とする請求項１乃至５の何れか１項に記載の照明装置。
【請求項７】
請求項１乃至６に記載された照明装置により撮影された複数の異なる近赤外領域における被写体の顔画像を用いて、該被写体の皮膚の解析を行う画像解析装置であって、
前記被写体に皮膚外用剤を塗布する前後における前記顔画像を取得する画像取得手段と、
前記画像取得手段により取得した画像に輝度補正を行う輝度補正手段と、
前記輝度補正手段により得られた前記皮膚外用剤を塗布する前後の画像の差分量を前記複数の異なる近赤外領域毎に取得する差分量取得手段と、
前記差分量取得手段により得られる差分量に基づいて前記被写体の皮膚を解析する解析手段と、
前記解析手段により得られた解析結果を表示する画面を生成する画面生成手段とを有することを特徴とする画像解析装置。
【請求項８】
前記複数の近赤外領域は、１１００〜１３６０ｎｍ、１３００〜１６４０ｎｍ、１８６０〜２２００ｎｍ、１７００〜１８６０ｎｍ、及び２２３０〜２４００ｎｍのうち、少なくとも２つの帯域であることを特徴とする請求項７に記載の画像解析装置。
【請求項９】
前記画面生成手段は、
前記差分量取得手段により得られた差分量の大きさに基づいて予め設定された色又は模様により所定の画素毎に強調表示した画面を生成することを特徴とする請求項７又は８に記載の画像解析装置。
【請求項１０】
前記解析手段は、
前記画面生成手段により得られた解析結果の画面から、ユーザにより設定される前記画面中の所定領域に対する輝度変化値を算出することを特徴とする請求項７乃至９の何れか１項に記載の画像解析装置。
【発明の詳細な説明】
【技術分野】
【０００１】
本発明は、照明装置及び画像解析装置に係り、特に近赤外領域の画像を高精度に撮影するための照明装置及び画像解析装置に関する。
【背景技術】
【０００２】
近年、顔の水分変化を可視化するために近赤外カメラを用いて２枚の近赤外分光画像を用いて顔表面に塗布した保湿液の可視化を行う技術が開示されている（例えば、非特許文献１）。
【０００３】
非特許文献１に示されている技術は、波長９００〜１７００ｎｍまで感度を持つＩｎＧａＡｓ近赤外カメラ（Ｓｅｎｓｏｒｓ  Ｕｎｌｉｍｉｔｅｄ，Ｉｎｃ．ＳＵ３２０Ｍ−１．７ＲＴ）を用いて顔の計測を行い、取得した２枚の近赤外分光画像を用いて差分吸光度画像に変換することで、顔に塗布した保湿液のみの可視化を実現している。
【０００４】
また、近赤外を用いて皮膚水分量を鑑別する手法も開示されている（例えば、特許文献１参照）。
【０００５】
特許文献１に示されている技術は、１０５０〜１６５０ｎｍの近赤外波長域に対して皮膚の複数点の反射強度を得る工程と、予め用意した皮膚水分量と近赤外波長域の反射強度との関係を示す予測式に前記工程で得られた反射強度を代入して複数点の皮膚水分量を得る工程と、得られた複数点の皮膚水分量から皮膚水分量分布を鑑別することが示されている。
【先行技術文献】
【特許文献】
【０００６】
【特許文献１】特開２０１０−２５６２２号公報
【非特許文献】
【０００７】
【非特許文献１】岩崎宏明他、「２枚の近赤外分光画像を用いた顔の水分変化の可視化」、日本光学会（応用物理学会）、Ｏｐｔｉｃｓ  Ｊａｐａｎ  ２００５  Ｔｏｋｙｏ、２００５年１１月２３〜２５日
【発明の開示】
【発明が解決しようとする課題】
【０００８】
ここで、上述した従来技術において、非特許文献１では顔における水の強い吸収がある波長は１４６０ｎｍとされており、一方、水の吸収がない波長は１０６０ｎｍであることが示されている。
【０００９】
しかしながら、水（ＯＨ基）の吸収は、１９２０ｎｍ付近にも強い吸収があり、更に油（ＣＨ基）についても１７５０ｎｍ付近や２２３０〜２４００ｎｍ付近に吸収がある。したがって、これらの特性を用いて肌の水分や油分に対する画像を高精度に行うことが好ましいが、そのような手法はまだ開示されていない。また、上述の波長の画像を取得するための照明装置についての具体的な構成等を変更する必要があるが、特許文献１では、紫外領域や可視領域に対するいわゆる色の画像を取得するための照明機構について示されているだけで、近赤外領域に対する光源の適切な被写体への照射に関する技術は示されていない。
【００１０】
また、上述したような肌に対する水や油の吸収が強い部分を複数用いて肌に対する解析、評価、更には肌のカウンセリング等を行うことが好ましいが、これらの手法についても開示されていない。
【００１１】
本発明は、上述した課題に鑑みてなされたものであって、近赤外領域の画像を高精度に撮影するための照明装置及び画像解析装置を提供することを目的とする。
【課題を解決するための手段】
【００１２】
上述した課題を解決するために、本件発明は、以下の特徴を有する課題を解決するための手段を採用している。
【００１３】
請求項１に記載された発明は、複数の異なる近赤外領域において被写体の顔画像を撮像手段により撮影するための照明装置であって、前記被写体の顔全体の部分を収容し略球状の空間が形成された筐体と、前記球状の面において前記被写体の左右対象の位置にそれぞれ１又は複数配置し、前記筐体の空間内に光を照射する少なくとも２つの光源と、前記光源による光が照射された前記顔全体の部分を撮影する撮像手段とを有し、前記光源の前に設置される紫外線及び赤外線を遮断する第１のフィルタと、前記撮像手段のレンズの前に設置される光量を調整する第２のフィルタ及び前記複数の異なる近赤外領域に対応させたバンドパスフィルタリングを行う第３のフィルタとを有することを特徴とする。
【００１４】
請求項１記載の発明によれば、近赤外領域の画像を高精度に撮影することができる。
【００１５】
請求項２に記載された発明は、前記光源からの光が前記被写体に直接照射されないように、前記筐体内部に第１の遮光板を有することを特徴とする。
【００１６】
請求項２記載の発明によれば、光を均一に被写体に照射させることができる。
【００１７】
請求項３に記載された発明は、前記撮像手段のレンズの前に第２の遮光板を有することを特徴とする。
【００１８】
請求項３記載の発明によれば、迷光を防止することができる。
【００１９】
請求項４に記載された発明は、前記第２のフィルタ及び第３のフィルタの種類を変更するためのスライド機構を有することを特徴とする。
【００２０】
請求項４記載の発明によれば、容易に設定の変更を行い、所望する近赤外領域の画像を撮影することができる。
【００２１】
請求項５に記載された発明は、前記筐体内部は、所定の塗料を重ね塗りすることを特徴とする。
【００２２】
請求項５記載の発明によれば、筐体内の反射率を向上させることができる。
【００２３】
請求項６に記載された発明は、前記光源は、近赤外領域を撮影するためのハロゲン光源又はＬＥＤであることを特徴とする。
【００２４】
請求項６記載の発明によれば、近赤外領域における全ての波長において、満遍なくなだらかな分布を持っているハロゲン光源を用いて高精度な撮影を行うことができる。
【００２５】
請求項７に記載された発明は、請求項１乃至６に記載された照明装置により撮影された複数の異なる近赤外領域における被写体の顔画像を用いて、該被写体の皮膚の解析を行う画像解析装置であって、前記被写体に皮膚外用剤を塗布する前後における前記顔画像を取得する画像取得手段と、前記画像取得手段により取得した画像に輝度補正を行う輝度補正手段と、前記輝度補正手段により得られた前記皮膚外用剤を塗布する前後の画像の差分量を前記複数の異なる近赤外領域毎に取得する差分量取得手段と、前記差分量取得手段により得られる差分量に基づいて前記被写体の皮膚を解析する解析手段と、前記解析手段により得られた解析結果を表示する画面を生成する画面生成手段とを有することを特徴とする。
【００２６】
請求項７記載の発明によれば、近赤外領域の画像を高精度に撮影することができる。また、近赤外領域の画像を用いて皮膚の解析を高精度に行うことができる。
【００２７】
請求項８に記載された発明は、前記複数の近赤外領域は、１１００〜１３６０ｎｍ、１３００〜１６４０ｎｍ、１８６０〜２２００ｎｍ、１７００〜１８６０ｎｍ、及び２２３０〜２４００ｎｍのうち、少なくとも２つの帯域であることを特徴とする。
【００２８】
請求項８記載の発明によれば、近赤外領域でも光の吸収特性の高い領域における画像を取得することで、高精度な皮膚解析を行うことができる。
【００２９】
請求項９に記載された発明は、前記画面生成手段は、前記差分量取得手段により得られた差分量の大きさに基づいて予め設定された色又は模様により所定の画素毎に強調表示した画面を生成することを特徴とする。
【００３０】
請求項９記載の発明によれば、強調表示することにより、皮膚外用剤の塗布前後の皮膚の差をより明確に提示することができる。
【００３１】
請求項１０に記載された発明は、前記解析手段は、前記画面生成手段により得られた解析結果の画面から、ユーザにより設定される前記画面中の所定領域に対する輝度変化値を算出することを特徴とする。
【００３２】
請求項１０記載の発明によれば、ユーザが所望する位置における輝度変化を迅速且つ高精度に取得することができる。
【発明の効果】
【００３３】
本発明によれば、近赤外領域の画像を高精度に撮影することができる。
【図面の簡単な説明】
【００３４】
【図１】近赤外領域における皮膚の吸収特性の一例を示す図である。
【図２】本実施形態における照明システムの概略構成の一例を示す図である。
【図３】図２に示す照明装置の具体的な構成例を示す図である。
【図４】本実施形態におけるフィルタのスライド例について説明するための図である。
【図５】本実施形態における照明装置に設置される色票の一例を示す図である。
【図６】本実施形態における画像解析装置の機能構成の一例を示す図である。
【図７】本実施形態における画像解析処理が実現可能なハードウェア構成の一例を示す図である。
【図８】本実施形態における画像解析処理手順の一例を示すフローチャートである。
【図９】従来の照明装置と本実施形態における照明装置との撮影結果の一例を示す図である。
【図１０】化粧水塗布前後の肌画像の一例を示す図である。
【図１１】「水１」における化粧水塗布前後の輝度変化を示す図である。
【図１２】「水２」における化粧水塗布前後の輝度変化を示す図である。
【図１３】乳液の塗布前後の肌画像の一例を示す図である。
【図１４】「水１」における乳液塗布前後の輝度変化を示す図である。
【図１５】「油」における乳液塗布前後の輝度変化を示す図である。
【図１６】「水２」における乳液塗布前後の輝度変化を示す図である。
【図１７】ヘアトリートメントの塗布前後の頭髪画像の一例を示す図である。
【図１８】他の実施形態における化粧水塗布前後の輝度変化の一例を示す図である。
【図１９】図１８に対応する選択範囲擬似カラー表示の一例を示す図である。
【図２０】他の実施形態における乳液塗布前後の輝度変化の一例を示す図である。
【図２１】図２０に対応する選択範囲擬似カラー表示の一例を示す図である。
【発明を実施するための形態】
【００３５】
＜本発明について＞
本発明は、波長領域８００〜２５００ｎｍまで撮影可能な近赤外カメラによって被写体の顔や手、腕、足、又は毛髪に至るまで、所望する被写体の各部の画像を高精度に取得するための照明装置及びその照明方法に関する。具体的には、１４６０ｎｍ付近の水の吸収特性に加えて１７５０ｎｍ付近の油の吸収特性、１９２０ｎｍ付近の水の強い吸収特性、及び２２３０〜２４００ｎｍ付近にある複数の油の強い吸収特性に対する被写体の画像を取得する。また、取得した画像に対して肌等の解析や評価等を行う。
【００３６】
ここで、図１は、近赤外領域における皮膚の吸収特性の一例を示す図である。ここで、図１に示すグラフの横軸は測定波長（ｎｍ）を示し、縦軸は吸光度（Ａｂｓｏｒｂａｎｃｅ，Ａ／Ｗ）を示している。
【００３７】
図１では、水、パルチミン酸、グリセリンにおける撮影される波長に対する吸収特性を図１（ａ）〜（ｄ）にそれぞれ示している。なお、図１（ａ）は、水の吸収特性を示し、図１（ｂ）は、パルチミン酸の吸収特性を示し、図１（ｃ）は、グリセリンの吸収特性を示し、図１（ｄ）は、肌の吸収特性を示している。
【００３８】
また、図１（ｉ）に示す特性範囲は、市販のカメラ（例えば、「ＦＬＩＲ  ＳＹＳＴＥＭＳ社製、ＡＬＰＨＡ  ＮＩＲカメラ」や、「ＸｅｎｌＣｓ社製  ＸＥＶＡシリーズ  ＩｎＧａＡｓ近赤外線カメラ」等）で撮影可能な近赤外領域を示しており、図１（ｉｉ）は、本発明において使用されるカメラ（例えば、住友電気工業（株）社製等）で撮影可能な近赤外領域を示している。なお、住友電気工業（株）社製のカメラは、１０００ｎｍ〜２５００ｎｍ程度の近赤外領域の画像を取得することができる。
【００３９】
図１に示すように、市販のカメラにて撮影される領域においては、上述した従来技術にも示すように１４６０ｎｍ付近で水の強い吸収がある（図１（ｄ）における領域Ａ）。しかしながら、その領域Ａの帯域には、油（パルチミン酸）や保湿剤（グリセリン）の特性のピークと重なるため、例えば化粧品を塗布した場合には、それら成分の影響を受け易くなり、その領域における画像を用いただけでは、正確な肌解析等を行うことができない。
【００４０】
ここで、図１（ｄ）のグラフに示すように、肌の吸収特性では、約１４６０ｎｍ付近の他にも約１９２０ｎｍ付近に水による強い吸収特性が存在することがわかる。また、図１（ｂ）に示すように、油の吸収特性では、約１７００〜１８００ｎｍ付近に吸収特性が存在し、更に約２２３０〜２４００ｎｍ付近にも強い吸収特性が存在することがわかる。
【００４１】
したがって、本実施形態では、水に対して約１４６０ｎｍ付近の画像の他にも、約１９２０ｎｍ付近の方が水だけの画像を検出できるため、この近赤外領域の画像も取得する。また、本実施形態では、油に対して約１７００〜１８００ｎｍ付近及び約２２３０〜２４００ｎｍ付近の近赤外領域の画像を取得する。
【００４２】
このようにして、水（ＯＨ基）と油（ＣＨ基）の両方の画像を取得し、その画像を１又は複数用いて画像解析をすることで、例えば化粧水や乳液等の皮膚外用剤を塗布した肌等の状態を画像上に示し、塗りむら評価等に用いることができる。
【００４３】
以下に、本発明における照明装置及び画像解析装置を好適に実施した形態について、図面を用いて説明する。
【００４４】
＜照明システム：概略構成例＞
まず、本実施形態において取得される画像を撮影する照明装置の概略構成例について図を用いて説明する。なお、以下の例では、皮膚の一例として顔の肌を撮影する例を示すが、本発明においてはこれに限定されるものではなく、例えば、手や腕の他、代用皮膚（例えば、ブタ皮膚、人工皮膚、ウレタン）や毛髪、爪等、水分や油分を評価するためのあらゆるものについて適用可能である。
【００４５】
図２は、本実施形態における照明システムの概略構成の一例を示す図である。図２に示す照明システム１０は、大略すると、照明装置１１と、画像解析装置１２とを有するよう構成されており、照明装置１１と、画像解析装置１２とは、ケーブル１３等を有して、データ及び制御信号の送受信が可能な状態で接続されている。
【００４６】
照明装置１１は、解析対象である被写体の顔をセットし、球体内に照射される所定の光源により顔の所定部位に照明を当てて、その画像をカメラ等により取得する。このとき、本実施形態では、複数の異なる近赤外領域において撮影された被写体の顔画像を取得するため、予め設定されるバンドパスフィルタによりフィルタリングを行い所定の近赤外領域における画像データを取得する。
【００４７】
また、本実施形態では、照明装置１１により被写体の顔画像を撮影する際、顔画像と共に色票を撮影する。なお、色票は、照明装置１１に着脱可能に取り付けることができる。つまり、本実施形態では、撮影される画像に被写体の顔だけでなく色票も写るように撮影する。これにより、撮影された画像に対して色票を用いて画像補正を行うことができるため精度を向上させることができる。なお、色票は、１又は複数有することができ、複数有する場合には、例えば撮影時に用いられる光源の波長に対応する色票を選択して用いることができる。
【００４８】
また、照明装置１１は、撮影するカメラのレンズに対して偏光フィルタ等を設置してノイズを低減させることができる。なお、照明装置１１の具体例については、後述する。
【００４９】
画像解析装置１２は、照明装置１１により撮影された所定の近赤外領域画像を複数取得し、取得した画像に基づいて被写体の肌の水、油に関する画像の解析・評価を行う。これにより、化粧水や保湿剤等の皮膚外用剤を塗布したときの肌の状態や、塗りむらを画像で可視化して出力することにより、高精度な解析や評価、或いはその結果の表示を行うことができる。なお、皮膚解析装置１２は、汎用的なパーソナルコンピュータ等を用いて本実施形態における解析処理を実現することができる。
【００５０】
ここで、本発明における皮膚外用剤としては、例えば水溶液系や可溶化系、乳化系、粉末分散系、水−油の２層系、水−油−粉末の３層系等の全般で本発明を適用することが可能であり、その用途も、化粧水や乳液だけでなく、クリームやパック等の基礎化粧品、口紅やファンデーション等のメーキャップ化粧料、シャンプーやリンス，染毛剤等の頭髪用製品、日焼け止め等の特殊化粧品等、広い分野に及ぶ。
【００５１】
＜照明装置１１：具体例＞
次に、本実施形態における照明装置１１について具体的に説明する。図３は、図２に示す照明装置の具体的な構成例を示す図である。なお、図３（Ａ）〜（Ｃ）は、図２に示す照明装置１１の矢印Ａ，Ｂ，Ｃの各方向から見た図を示している。
【００５２】
図２に示す照明装置１１は、土台２０の上に略球状のドーム（筐体）２１と、少なくとも１つの光源２２と、顎乗せ部材２３と、撮像装置としてのカメラ２４と、スライド機構としてスライドレール２５と、カメラ用土台２６が構成の一部として示されている。
【００５３】
図２及び図３に示す照明装置１１において、ドーム２１は、略球状の形状をしており球状内が空洞となっている。また、ドーム２１は、例えば被写体である人物の顔が入るように例えば直径が４０ｃｍ〜９０ｃｍ程度の形状となっている。このようにドーム２１の形状を球状にすることで、内部の光源から照射された光が拡散して効率的に被写体の顔に均一（フラット）に光を照射させることができる。また、本実施形態では、積分球のドーム形状にすることで、被写体の皮膚表面での正反射光（てかり）を抑えることができ、高精度な画像を撮影することができる。
【００５４】
ドーム２１の材質としては、発泡スチロールや樹脂等により形成することができるが、本発明については特に限定されるものではなく、ドーム２１内部で光が拡散して被写体の顔に効率的で且つ均一に照射させることができる。
【００５５】
また、ドーム２１の内面（反射面、拡散面）としては、例えば、銀面、アルミ特殊合金電解研磨面、ガラス鏡面（アルミ合金）、水銀、金、白金、銅等の正反射性材料や、炭酸マグネシウム、硫酸バリウム、酸化アルミ、白色ペイント、エナメル、白紙、白色タイル等を使用することができる。更に、本実施形態では、反射率を向上させるために同じ塗料で数回重ね塗りしている。
【００５６】
なお、ドーム２１の内面を塗装する際には、例えばスプレータイプやペンタイプ等のものを使用する。また、塗料は、アクリル系、ラッカー系、エナメル系等を用いることができるが、例えば５種類程、組成の異なる塗料を用いて、近赤外領域の分光反射率を測定し、近赤外領域全てにわたって、分光反射率の変化が少なく、高い反射率を持つ塗料等を選択することができる。
【００５７】
また、ドーム２１の内面は、分光特性が少なくとも１０００ｎｍ〜２５００ｎｍの計測波長領域において分光反射率が約８０〜１００％の間で推移するように形成されているのが好ましい。
【００５８】
更に、図３（Ｃ）に示すように、ドーム２１内には、光源２２−１，２２−２からの光が直接被写体に照射されて、顔に照射される光のばらつきがないようにするため、本実施形態では、図３（Ｃ）に示すように、光源前遮光板３０−１，３０−２が設けられている。なお、図３（Ｃ）に示す光源前遮光板３０−１，３０−２は、光源２２−１，２２−２に対して両側についているが本実施形態においてはこれに限定されず、被写体側のみに遮光板を設けていてもよい。なお、遮光板３０は、ドーム２１の内面上に設置され、Ｌ字型若しくは三ケ月状、半円状等の形状からなり、カメラ２４から撮影される被写体が隠れないように設置される。
【００５９】
更に、図３（Ａ）〜（Ｃ）に示すように、ドーム２１には、レンズ前遮光板３１が設けられている。レンズ前遮光板３１は、円筒形の筒であり、筒内部は近赤外領域吸収素材で形成されている。このように、レンズ前遮光板３１を設けることにより、迷光を除去することができる。なお、レンズ前遮光板３１は、例えば、内側が近赤外領域吸収素材で形成されている。なお、吸収素材の具体例としては、例えばネオプレンゴムスポンジ等も用いることができるが、他の素材でもよい。
【００６０】
また、ドーム２１は、動かないように、例えば強力磁石により固定されている。また、光源２２は、土台２０上に設置されたドーム２１内部に対して直接光源を照射する。なお、光源２２の数は、少なくとも１つ有していればよい（図２及び３の場合は、顔の左右に２つ）。なお、光源の設置位置については、照射による被写体の顔の影の位置等により異なるため、調整する必要がある。なお、ドーム２１内における光源２２の配置については後述する。
【００６１】
また、光源２２−１，２２−２は、近赤外領域を測定するため光を照射する。したがって、光源２２−１，２２−２としては、例えばハロゲンランプ等を用いることができ、例えば岩崎電気（株）社製ＪＤ１１０Ｖ５０Ｗ／Ｐ／Ｍ等を使用することができるが、本発明においてはこれに限定されるものではない。
【００６２】
なお、光源２２は、例えばハロゲンランプを使用することができるが、本発明においてはこれに限定されるものではなく、例えば、白熱電球・ハロゲン電球等の温度照射光源や、高圧水銀ランプ、セルフバラスト水銀ランプ、メタルハライドランプ、高圧ナトリウムランプ等の高圧放電ランプ（放電発光光源）、蛍光ランプ、低圧ナトリウムランプ等の定圧放電ランプ（放電発光光源）、ＥＬ（Ｅｌｅｃｔｒｏｌｕｍｉｎｅｓｃｅｎｃｅ）、ＬＥＤ（Ｌｉｇｈｔ  Ｅｍｉｔｔｉｎｇ  Ｄｉｏｄｅ）等の電界発光光源等を用いることができる。
【００６３】
また、ハロゲンについては、例えばハロゲンランプや、両口金型ハロゲン、ＰＡＲランプ、ダイクロイックミラー等を代用することができる。また、蛍光ランプについては、一般照明用ランプやレフランプ、クリプトンランプ、水銀ランプ、バラストレス水銀ランプ（チョークレス）、高圧ナトリウムランプ、メタルハライドランプ、ＨＱＩランプ等に代用することができる。
【００６４】
なお、本実施形態では、例えば近赤外領域を撮影するために、例えば、ハロゲン光源又はＬＥＤを用いるのが好ましい。なお、上記の２つの光源は、それぞれ同じ帯域を出すことができるが、その材質の性質等により違いがある。具体的には、ハロゲン光源とＬＥＤとは、光の広がり方が異なり、ＬＥＤの方がハロゲン光源よりも直線性がある。また、ＬＥＤは、ハロゲン光源より熱量の放出が少ない。そのため、本実施形態では、ハロゲン光源とＬＥＤのどちらの光源を使用するかは、撮影対象や撮影する目的、撮影環境等に応じて適宜設定される。
【００６５】
なお、照明装置１１では、光源２２の設置位置が上下左右に汎用的に変更できるように、例えばスライド部材やアーム部材等が取り付けられていればよい。これにより、縦横自由に、光源を移動することができ、更にカメラと横方向にもスライドさせることで所望する位置にネジ等の固定部材で光源を固定することができる。
【００６６】
顎乗せ部材２３は、被写体がドーム２１内部で進入させ、所定の位置で保持固定させるための保持部材である。なお、顎乗せ部材２３は、例えば図３（Ａ）、（Ｂ）に示すような台座３２等を設けて顎を台座３２の上に乗せて保持させることができる。また、顎乗せ部材２３は、額を所定の位置で保持する額保持部材３３を有していてもよい。
【００６７】
また、顎乗せ部材２３は、台座３２の高さ調節や左右の位置を調整する機構を設けており、例えばカメラ２４等から撮影された画像を画像解析装置１２のディスプレイ上で表示し、カメラの中心と顔の上下左右の位置の調整可能となるスケール等を有することもできる。また、顎乗せ部材２３は、被写体の正面画像ではなく、斜め、横、或いは後を向かせて側面画像や頭髪画像を取得できるような構成又は移動機構を有する。
【００６８】
なお、図３（Ａ）に示す顔の挿入する開口部３４については、被写体が顔を開口部３４からドーム２１内に入れたあと、開口部３４と頭の隙間から光が内部に入らないように、スポンジ、クッション等の弾性部材で周囲を覆うことで、ドーム２１内部の光源２２による光が外部に出ないようにすることができる。
【００６９】
カメラ２４は、撮像装置としてのカメラ２４−１，２４−２を有している。なお、カメラ２４−１は、近赤外カメラ（例えば、住友電気工業（株）社製等）を用いることができ、カメラ２４−２は、可視カメラ（例えば、Ｎｉｋｏｎ社製  Ｄ５０，６０ｍｍレンズ等）を使用することができる。なお、カメラ２４−１及びカメラ２４−２は、スライド機構としてのスライドレール２５が設けられており、各カメラ２４−１，２４−２に装着したレンズから被写体が見える位置にスライドさせて撮影することができる。したがって、本実施形態では、撮影する目的の波長帯域に応じて複数のカメラを選択して撮影することができる。更に、カメラ２４−１，２４−１は、カメラ用土台２６に設けられたスライド機構によりドーム２１に対する位置を調整することができる。
【００７０】
ここで、カメラ２４−１は、上述した所定の近赤外領域の画像を取得する。具体的には、約８００〜２５００ｎｍ付近の波長帯域における画像を取得可能な近赤外カメラ（例えば、住友電気工業（株）社製等）を使用することができる。また、カメラ２４に取り付けられるレンズは、例えばフジノン（株）社製２５ｍｍレンズ等を使用することができる。なお、本実施形態においては、撮影される被写体の顔画像の表面反射等のノイズを消して、表面のぎらつきを抑えてクリアな画像を取得するために偏光フィルタを設けてもよい。なお、偏光フィルタの具体例については、後述する。
【００７１】
また、カメラ２４−２は、例えばカメラ２４−１で被写体を撮影する前又は後に、同一の被写体の同一領域を撮影するための可視カメラである。これにより、カメラ２４−１で撮影された水分や油分画像を、カメラ２４−２で得られる画像に重ねて表示することができる。
【００７２】
なお、本実施形態では、所定の近赤外領域の画像を取得するため、例えば光源の前やレンズの前にバンドパスフィルタを設置して、所定の近赤外領域の画像を取得する。また、本実施形態は、複数の異なる近赤外領域からの画像を撮影するために、例えばフィルタをスライドさせて自動で切り換えられる機構が設けられていてもよく、撮影毎にユーザがスライドを移動してフィルタの切り換えを行ってもよい。
【００７３】
ここで、本実施形態におけるフィルタは、光源２２−１，２２−２と被写体の間の光を通過させる第１のフィルタ３５−１，３５−２と、被写体により反射された光とカメラ（レンズ）の間の光を通過させる第２のフィルタ３６及び第３のフィルタ３７とを有する。ここで、第１のフィルタ３５は、例えばＵＶＡカット、赤外線減衰フィルタを用いることができ、例えばＳＣＨＯＴＴ社製のＧＧ３９５（例えば、厚さ約３ｍｍ，約１００×１００ｍｍ）等を使用することができる。
【００７４】
更に、第２のフィルタ３６は、例えば後述するバンドパスフィルタ（第３のフィルタ３７）と重ねて使用するＮＤフィルタである。ＮＤフィルタは、レンズに入る光量を調整するためのフィルタであり、バンドパスフィルタの種類によって異なる光量を調整するためのものである。なお、第２のフィルタ３６と第３のフィルタ３７は、予め設定された複数の異なる近赤外領域等の画像を取得するためにそれぞれのフィルタをスライドにより変更できるようにフィルタスライド機構３８を有している（図３（Ｃ））。図３（Ｃ）に示すフィルタスライド機構３８を設けることにより、レンズの前の第２のフィルタ３６及び第３のフィルタの種類及びフィルタの有無を容易に変更することができる。
【００７５】
ここで、図４は、本実施形態におけるフィルタのスライド例について説明するための図である。図４に示す例では、第２のフィルタ３６，第３のフィルタ３７が重ねられた状態で、フィルタスライド機構にセットされている。なお、フィルタスライド機構３８は、５つの開口部３９−１〜３９−６が設けられており、そこに所定の複数の異なる近赤外領域の波長の画像を取得するための第２のフィルタ３６及び第３のフィルタ３７が重ねられてセットされている。
【００７６】
ここで、開口部３９−１では、約１３００ｎｍ付近の画像を取得するためのフィルタが設置されており、開口部３９−２では、約１４６０ｎｍ付近の画像を取得するためのフィルタが設置されており、開口部３９−３では、約１７５０ｎｍ付近の画像を取得するためのフィルタが設置されており、開口部３９−４では、約１９２０ｎｍ付近の画像を取得するためのフィルタが設置されており、開口部３９−５では、２３００ｎｍ付近の画像を取得するためのフィルタが設置されている。
【００７７】
なお、開口部３９−６は、何もセットされておらず、これはフィルタがない状態で撮影するときに用いられる。したがって、予め設定された近赤外領域の画像を取得するために、スライド機構３８を図４に示す左右に移動させることにより、レンズ前のフィルタを変更し、その変更したフィルタを用いて帯域の異なる複数の画像を容易に取得することができる。なお、スライド動作は、予めスライド制御機構も設けておき自動で行ってもよく、ユーザ等が図４に示すようにスライド機構に記載された基準となる波長帯域（例えば、図４の例では１３００，１５００，１７００，１９００，２３００）を参照しながら手動でスライドにより変更させてもよい。
【００７８】
ここで、フィルタの種類や数、フィルタスライド機構３８における開口部３９の位置やスライドの方向、第２のフィルタ３６における調整される光量、第３のフィルタ３７における設置位置、バンドパスの条件等については、本発明においてはこれに限定されるものではない。したがって、例えば、スライド機構を円型にして、所定の軸を基準にした回転によりフィルタを変更させるような機構にしてもよい。
【００７９】
本実施形態では、複数のバンドパスフィルタを使用して所定の近赤外領域の画像を取得するが、その波長により透過光量が異なるため、レンズの調整等、カメラ設定をなるべく変えずに測定できることが好ましい。したがって、上述したＮＤフィルタ（第２のフィルタ）を複数のバンドパスフィルタ（第３のフィルタ）に対応させて複数用意し、適宜切り換えて用いることで光量の減衰等を行い、光量を調整することができる。なお、ＮＤフィルタとしては、例えばＳＣＨＯＴＴ社製ＮＧ５（例えば、直径２５．４ｍｍの円、厚さ１ｍｍ）等を用いることができる。
【００８０】
ここで、複数のバンドパスフィルタを用いて所定の近赤外帯域の画像を取得するための第３のフィルタ３７は、例えばＳｐｅｃｔｒｏｇｏｎ社製のフィルタを使用することができる。また、第３のフィルタ３７の領域は、例えば、ベースとなる画像を取得する場合は、例えば約１１００〜１３６０ｎｍ程度の帯域から得られる画像を取得することができ、例えば中心波長を約１３００ｎｍ±４０ｎｍ程度の画像を取得する。
【００８１】
また、水の吸収特性の強い画像を取得する場合は、例えば、図１（ｄ）における領域Ａに対する画像を取得する際には、例えば約１３００〜１６４０ｎｍ程度の帯域から得られる画像を取得することができ、好ましくは中心波長を約１４６０ｎｍ±４５ｎｍ程度の画像を取得する。また同様に、より感度のよい水の吸収特性の強い画像を取得する場合は、例えば、図１（ｄ）における領域Ｂに対する画像を取得する際には、例えば約１８６０〜２２００ｎｍ程度の帯域から得られる画像を取得することができ、好ましくは中心波長を約１９２０ｎｍ±５５ｎｍ程度、約１９５０ｎｍ±５６ｎｍ程度の画像を取得する。
【００８２】
また、図１（ｂ）における領域Ｃに示すような油の吸収特性の強い画像を取得する場合は、例えば１７００〜１８６０ｎｍ程度の帯域から得られる画像を取得することができ、好ましくは中心波長を１７７５ｎｍ±５０ｎｍ、或いは、１７５５ｎｍ±２０ｎｍ程度の画像を取得する。更に、図１（ｂ）における領域Ｄに示すような油の吸収特性の強い画像を取得する場合は、例えば約２２３０〜２４００ｎｍ程度の帯域から得られる画像を取得することができ、好ましくは、中心波長を２３４５ｎｍ±５０ｎｍ程度の画像を取得する。なお、領域Ｄには、複数のピークが存在するため、そのうちの１つの波長を用いた画像を取得してもよく、ピークとなる複数の波長から画像を取得してもよい。また、約２２３０〜２４００ｎｍの帯域では、図１（ａ）に示すように水の吸収特性の差が大きいため、本実施形態では、撮影対象の条件（乾燥、湿度等）に応じて帯域を適宜設定することができる。
【００８３】
なお、これらの近赤外帯域の画像を取得するために用いられるフィルタは、１つのフィルタにおいて実現してもよく、複数のフィルタを組み合わせてもよい。
【００８４】
更に、本実施形態では、例えば、図３（Ａ），（Ｂ）に示すように台座３２の前(カメラ側)に色票４０をカメラ２４側に向けて設置してもよい。これにより、カメラ２４により撮影される画像に、被写体の顔画像と色票４０とを含めることができ、色票４０を用いて、複数の画像間の補正を行って精度の向上を図ることができる。なお、色票の具体例については、後述する。
【００８５】
上述した構成等を用いた照明装置１１を用いてカメラ２４から撮影された被写体の顔画像は、図１に示すケーブル１３等を介して画像解析装置１２に出力される。なお、照明装置１１と画像解析装置１２との通信は、例えば赤外線等を用いた無線通信でもよく、ＬＡＮケーブル等を介した有線通信でもよい。更に、インターネット等の通信ネットワークを用いて遠隔地にある画像解析装置１２に撮影画像を送信してもよい。
【００８６】
ここで、本実施形態において撮影される画像は、例えば、化粧水や乳液等の皮膚外用剤を被写体に塗布する前、塗布直後、塗布した後、塗布後の所定時間経過後の画像等である。
【００８７】
また、本実施形態において照明装置１１により撮影される画像は、ユーザの指示により撮影された画像でもよく、連続的に撮影されたリアルタイム映像であってもよい。更に、照明装置１１により撮影される画像は、顔に含まれる被写体の肌（頬や額等）、瞼、目、目の下、目の周り、鼻、口、口元、耳、眉、顎等に限定されず、例えば首や頭髪等も含み、更には、腕や手、足等も含まれる。したがって、画像解析装置１２により解析される内容は、上述した照明装置１１にて得られる画像全てに対応することができる。
【００８８】
＜偏光フィルタについて＞
次に、上述した本実施形態における偏光フィルタの具体例について説明する。通常、画像の撮影では、光源に起因する観察対象物表面での解析に不要な反射光（ぎらつき等）が生じる場合がある。また、不要な反射光は取得画像の輝度値に影響をし、画像解析による定量評価を行うときに誤差が生じてしまう可能性があり問題となる。
【００８９】
そこで、本実施形態では、カメラ２４−１，２４−２のレンズ前部、後部、或いは両方に偏光フィルタを設置する。また、本実施形態は、レンズ付近ではなく、光源の前部への偏光フィルタを設置してもよい。更に、本実施形態では、レンズ及び光源の両方に偏光フィルタを設置する。なお、偏光フィルタは、１又は複数設置することができる。
【００９０】
これにより、本実施形態では、観察対象物表面で生じる解析に不要な反射光を除去することができる。また、本実施形態では、これらフィルタの設置によりノイズを減らし、精度の高い解析が可能となる。
【００９１】
＜色票について＞
次に、上述した本実施形態における色票４０の具体例について説明する。通常、画像解析による定量評価を用いて画像間の比較を行う場合、撮影条件により若干の差異が出ることが解析上の問題となる。そこで、本実施形態では、白から黒の反射率が特定できる任意の色票４０を用いて取得画像の輝度値を補正することにより、画像取得の時期の違いにかかわらず画像間の比較が可能となり、精度良く解析することができる。
【００９２】
ここで、本実施形態の照明装置１１に設けられる色票４０について図を用いて説明する。図５は、本実施形態における照明装置に設置される色票の一例を示す図である。なお、図５（ａ）は、色票が配置された色票ボードを上から見た図を示し、図５（ｂ）は、色票ボードをカメラ２４側から見た図を示している。
【００９３】
図５（ａ），（ｂ）に示す色票４０は、一例として反射率の異なる３つの色票がボード上に並列に配置されている。なお、図５に示す各色票は、例えば被写体を撮影するときに用いられる光源の波長に応じて色票を選択することができる。このように色票４０を用いることで、撮影される画像間の輝度を補正することができる。
【００９４】
また、図５に示す色票４０は、カメラ２４での被写体の撮影時に、被写体と一緒に撮影される位置に設置される。本実施形態では、例えば被写体の台座３２の前に色票４０をカメラ側に向けて設置する。具体的には、例えば図５に示す色票ボードの下部を、予め照明装置１１の顎乗せ部材２３側に設けられた凹凸に嵌め込むようにして設置する。これにより、色票４０の着脱が容易になり、カメラの性能や精度、光源の種類や波長等、必要に応じて色票４０を切り替えることができる。
【００９５】
なお、本発明において、色票の数や大きさ、形状、及び、色票それぞれの輝度、配置については、図５に示す例に限定されるものではなく、少なくとも１色の色票が設置されていればよい。
【００９６】
＜画像解析装置１２：機能構成例＞
次に、本実施形態における画像解析装置１２における実施形態について図を用いて説明する。図６は、本実施形態における画像解析装置の機能構成の一例を示す図である。図６に示す画像解析装置１２は、入力手段４１と、出力手段４２と、蓄積手段４３と、撮影画像取得手段４４と、画像解析手段４５と、画像生成手段４６と、制御手段４７とを有するよう構成されている。
【００９７】
入力手段４１は、使用者等からの画像取得指示や画像解析指示、評価指示等の各種指示の開始／終了等の入力を受け付ける。なお、入力手段４１は、例えばキーボードや、マウス等のポインティングデバイス等からなる。また、入力手段１１は、デジタルカメラ等の撮像手段等により撮影された被写体の撮像部分を含む画像を入力する機能も有する。
【００９８】
また、出力手段４２は、入力手段４１により入力された内容や、入力内容に基づいて実行された内容等の表示・出力を行う。なお、出力手段４２は、ディスプレイやスピーカ等からなる。更に、出力手段４２としてプリンタ等の機能を有していてもよく、その場合には、画像解析結果等を紙等の印刷媒体に印刷して、使用者や被写体等に提供することもできる。
【００９９】
なお、入力手段４１と出力手段４２とは、例えばタッチパネル等のように一体型の入出力手段であってもよく、この場合には使用者の指やペン型の入力装置等を用いて所定の位置をタッチして入力を行うことができる。
【０１００】
また、蓄積手段４３は、撮影画像取得手段４４により得られる撮影画像、画像解析手段４５により画像解析結果、画像生成手段４６により生成された評価結果等による各画像情報等の各種データを蓄積する。また、蓄積手段４３は、必要に応じて蓄積されている各種データを読み出すことができる。
【０１０１】
また、撮影画像取得手段４４は、照明装置１１においてカメラ２４により撮影された被写体の顔画像を取得する。なお、撮影画像取得手段４４は、照明装置１１により被写体の顔を撮影する際に、撮影する画像の内容に応じて、例えば使用する光源の種類や位置、数等を設定することができる。更に、撮影画像取得手段４４は、照明装置１１のカメラ２４に対し、上述した第１〜第３のフィルタ３５〜３７を組み合わせて使用することで、所定のバンドパスフィルタによりフィルタリングされた所定の近赤外領域の画像を取得するために、その撮影条件を示す指示情報を生成し、照明装置１１に出力する。なお、撮影画像取得手段４４により取得された画像は、蓄積手段４３に蓄積される。
【０１０２】
画像解析手段４５は、撮影画像取得手段４４により得られた画像に対して輝度補正や平均輝度値の算出、化粧水や乳液等の皮膚外用剤の塗布前後の輝度変化の解析、輝度変化値の算出、ユーザから選択された領域に対する輝度差に対応した擬似カラーの設定等の解析を行う。なお、画像解析手段４５は、塗布前、塗布直後、塗布後の画像を用いて、それらの画像から皮膚の解析を行い、その結果を評価することができる。また、画像解析手段４５は、画像解析を行う部分を撮影した顔の肌全体に対して行ってもよく、また入力手段４１等を用いてユーザ等により指定された領域に対してのみ画像解析を行ってもよい。なお、指定される領域は、１つでもよく、複数でもよい。
【０１０３】
更に、本実施形態において、画像解析手段４５で解析される画像は、照明装置１１から取り込みながらその都度リアルタイムで解析してもよく、また予め蓄積手段４３に蓄積された画像を用いて解析してもよい。
【０１０４】
また、画像解析手段４５により解析される画像は、例えば、頬や額等の肌画像であり、また、腕や手、足等の画像でも肌画像解析を行うことができる。更に画像解析手段４５は、頭髪についても解析を行うことができる。なお、画像解析手段４５における処理の具体例については、後述する。
【０１０５】
画像生成手段４６は、画像解析手段４７により解析された結果に基づいてユーザに提示するための画像を生成する。具体的には、画像生成手段４６は、画像解析手段４５により解析された輝度差に対応した擬似カラーを合成し、合成した画像を画面に表示する。
【０１０６】
なお、画像生成手段４６は、合成画像を画面に表示する際、ユーザに見やすく表示するために、例えば、所定領域に対する輝度領域の拡大や差分画像の算出、輝度反転等の処理を行った後、表示させることもできる。
【０１０７】
また、画像生成手段４６は、画像のうち、ユーザにより設定された領域に対する擬似カラー生成等の処理を行う。なお、画像生成手段４６における具体的な処理については後述する。
【０１０８】
また、制御手段４７は、画像解析装置１２の各構成部全体の制御を行う。具体的には、制御手段４７は、例えばユーザ等による入力手段４１からの指示等に基づいて、画像解析処理や画像生成処理等の各制御を行う。
【０１０９】
＜画像解析装置１２：ハードウェア構成＞
ここで、上述した画像解析装置１２においては、各機能をコンピュータに実行させることができる実行プログラム（画像解析プログラム）を生成し、例えば汎用のパーソナルコンピュータ、サーバ等にその実行プログラムをインストールすることにより、本発明における皮膚外用剤の塗布前後、及び塗布後所定時間経過後において撮影した所定の近赤外領域における画像を用いて解析することができる。
【０１１０】
ここで、本実施形態における画像解析処理が実現可能なコンピュータのハードウェア構成例について図を用いて説明する。
【０１１１】
図７は、本実施形態における画像解析処理が実現可能なハードウェア構成の一例を示す図である。図７におけるコンピュータ本体には、入力装置５１と、出力装置５２と、ドライブ装置５３と、補助記憶装置５４と、メモリ装置５５と、各種制御を行うＣＰＵ（Ｃｅｎｔｒａｌ  Ｐｒｏｃｅｓｓｉｎｇ  Ｕｎｉｔ）５６と、ネットワーク接続装置５７とを有するよう構成されており、これらはシステムバスＢで相互に接続されている。
【０１１２】
入力装置５１は、ユーザ等が操作するキーボード及びマウス等のポインティングデバイスを有しており、ユーザ等からのプログラムの実行等、各種操作信号を入力する。また、入力装置５１は、ネットワーク接続装置５７等に接続された外部装置から通信ネットワークを介して得られる既に測定された評価対象部位における皮膚外用剤の塗布後又は近赤外線曝露後に撮影された被写体の顔画像等の各種データを入力することもできる。
【０１１３】
出力装置５２は、本発明における処理を行うためのコンピュータ本体を操作するのに必要な各種ウィンドウやデータ等を表示するディスプレイを有し、ＣＰＵ５６が有する制御プログラムによりプログラムの実行経過や結果等を表示することができる。また、出力装置５２は、上述の処理結果等を紙等の印刷媒体に印刷して、ユーザ等に提示することができる。
【０１１４】
ここで、本発明においてコンピュータ本体にインストールされる実行プログラムは、例えば、ＵＳＢ（Ｕｎｉｖｅｒｓａｌ  Ｓｅｒｉａｌ  Ｂｕｓ）メモリやＣＤ−ＲＯＭ、ＤＶＤ等の可搬型の記録媒体５８等により提供される。プログラムを記録した記録媒体５８は、ドライブ装置５３にセット可能であり、記録媒体５８に含まれる実行プログラムが、記録媒体５８からドライブ装置５３を介して補助記憶装置５４にインストールされる。
【０１１５】
補助記憶装置５４は、ハードディスク等のストレージ手段であり、本発明における実行プログラムや、コンピュータに設けられた制御プログラム等を蓄積し必要に応じて入出力を行うことができる。
【０１１６】
メモリ装置５５は、ＣＰＵ５６により補助記憶装置５４から読み出された実行プログラム等を格納する。なお、メモリ装置５５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなる。
【０１１７】
ＣＰＵ５６は、ＯＳ（Ｏｐｅｒａｔｉｎｇ  Ｓｙｓｔｅｍ）等の制御プログラム、及びメモリ装置５５に格納されている実行プログラムに基づいて、各種演算や各ハードウェア構成部とのデータの入出力等、コンピュータ全体の処理を制御して各処理を実現することができる。なお、プログラムの実行中に必要な各種情報等は、補助記憶装置５４から取得することができ、また実行結果等を格納することもできる。
【０１１８】
ネットワーク接続装置５７は、通信ネットワーク等と接続することにより、実行プログラムを通信ネットワークに接続されている他の端末等から取得したり、プログラムを実行することで得られた実行結果又は本発明における実行プログラム自体を他の端末等に提供することができる。
【０１１９】
また、ネットワーク接続装置５７は、通信ネットワークに接続された外部装置により既に測定された評価対象部位における皮膚外用剤の塗布後又は紫外線曝露後に撮影された被写体の肌画像等の各種データを取得することもできる。
【０１２０】
上述したようなハードウェア構成により、本発明における画像解析処理を実行することができる。また、プログラムをインストールすることにより、汎用のパーソナルコンピュータ等で本発明における画像解析処理を容易に実現することができる。
【０１２１】
＜画像解析処理手順＞
次に、本実施形態における画像解析処理手順について説明する。図８は、本実施形態における画像解析処理手順の一例を示すフローチャートである。
【０１２２】
図８に示す画像解析処理は、まず、ベースである皮膚外用剤塗布前の被写体の顔画像を取得し（Ｓ０１）、更に皮膚外用剤塗布後の被写体の顔画像を取得する（Ｓ０２）。なお、Ｓ０１及びＳ０２の処理において取得される画像は、上述した照明装置１１等において、ハロゲンランプ等の光源を用い、上述したフィルタ等によりフィルタリングされた所定の近赤外領域における被写体の画像を取得する。
【０１２３】
また、Ｓ０１の処理においては、予めベース画像を取得しておき、蓄積手段等に蓄積しておいてもよい。
【０１２４】
また、皮膚外用剤を塗布した後は、その効果が見られる程度に所定時間経過させるのが好ましい。経過させる時間は、皮膚外用剤や塗布量、塗布した部位等により異なる。したがって、Ｓ０２の処理において取得される画像は、例えば、皮膚外用剤の塗布直後の画像でもよく、更には、塗布してから所定時間経過後（例えば、１０分後や３０分後等）の画像を継続的に取得してもよい。また、これらの画像は、所定時間毎の画像を経時的に複数取得してもよい。また、Ｓ０２の処理にて取得した画像は、後段にてＳ０１の画像と比較して解析や評価等を行う。
【０１２５】
次に、Ｓ０１及びＳ０２の処理で得られた画像の輝度補正を行う（Ｓ０３）、また、輝度補正された画像を用いて、２つの画像の差分画像を生成する（Ｓ０４）。なお、Ｓ０３及びＳ０４の処理は、予め設定された取得した画像全体に対して行ってもよく、ユーザ等により予め設定された画像中の領域（１又は複数）に対して行ってもよい。
【０１２６】
次に、Ｓ０４の処理において、取得した差分画像に対して、領域中における所定画素毎に、その輝度の差分値の大きさにより予め設定された擬似カラーを割り当て（Ｓ０５）、更にその割り当てた擬似カラーを差分画像に合成して評価画面等を生成し（Ｓ０６）、生成した画像を画面に表示する（Ｓ０７）。
【０１２７】
ここで、他の画像による解析を行うか否かを判断し（Ｓ０８）、他の画像による解析を行う場合（Ｓ０８において、ＹＥＳ）、Ｓ０３に戻り、Ｓ０２の処理で取得した他の画像を用いて後述の処理を行い画像の解析、評価を行う。
【０１２８】
ここで、画像を解析する際、上述したように予め設定された擬似カラーを指標として用いて評価を行ってもよい。なお、指標の導出は、予め設定された指標を用いてもよく、評価対象部位や皮膚外用剤の成分、既に導出して評価された指標の内容等より任意に設定されてもよい。これにより、皮膚外用剤を使用者に塗布した後の塗りむら等の肌状態を簡便且つ短時間に評価することができる。
【０１２９】
＜画像取得と画像解析の実施例＞
次に、本実施形態における画像取得と画像解析の実施例について、具体的に説明する。
【０１３０】
まず、本実施形態における照明装置１１により取得される画像例について従来技術の照明装置で撮影した画像と比較して説明する。
【０１３１】
図９は、従来の照明装置と本実施形態における照明装置との撮影結果の一例を示す図である。なお、図９（ａ）は、従来の照明装置で撮影した「ベース」、「水１」、「油」、「水２」の画像の一例を示し、図９（ｂ）は、本実施形態における照明装置１１で撮影した「ベース」、「水１」、「油」、「水２」の画像の一例を示している。
【０１３２】
ここで、「ベース」は、中心波長を１３００ｎｍ±４０ｎｍ程度で取得した画像を示し、「水１」は、中心波長を１５００ｎｍ±４５ｎｍ程度で取得した画像を示し、「油」は、中心波長を１７７５ｎｍ±５０ｎｍ程度で取得した画像を示し、「水２」は、中心波長を１９２０ｎｍ±５５ｎｍ程度で取得した画像を示している。
【０１３３】
図９（ａ）に示す従来例では、「ベース」、「水１」、「油」、「水２」の何れにおいても頬骨、瞼等、凹凸部で正反射光が白く写ってしまう。しかしながら、図９（ｂ）に示す本実施例では、テカリのない高精度な画像を取得することができる。
【０１３４】
なお、油の画像の取得については、上述した中心波長に限定されず、例えば、約２２３０〜２４００ｎｍ程度の帯域（好ましくは中心波長を２３４５ｎｍ±５０ｎｍ程度の帯域）を用いても同様の画像を取得することができる。これは、以下の説明においても同様である。
【０１３５】
次に、解析画像の実施例について説明する。本実施例では、「（１）左頬にしっとり化粧水をコットンで塗布し、塗布前、塗布直後において解析した例」と、「（２）左頬にしっとり乳液をコットンで塗布し、塗布前、塗布直後、及び塗布１０分後において解析した例」と、「（３）左毛髪に寝ぐせ直し用ヘアトリートメントを噴霧し、塗布前、塗布直後において解析した例」について説明する。
＜（１）化粧水の塗布前後＞
図１０は、化粧水塗布前後の肌画像の一例を示す図である。図１０に示す例では、塗布前と塗布直後における「ベース」、「水１」、「水２」のそれぞれの画像が示されている。ここで、図１０に示す塗布直後の領域６１−１〜６１−３は、皮膚外用剤（図１０の例では化粧水）を塗布した部分を示している。
【０１３６】
また、図１０に示されている画像は、全て本実施形態における輝度補正が行われている。輝度補正とは、例えば画像中のある所定の画素単位（例えば、２０×２０ピクセル）における平均値を算出し、算出した画像に対して黒を輝度３０とし、グレーを輝度１２０として２点で画像全体を補正する。これにより、画像上のノイズを低減して画像を平滑化させることができる。
【０１３７】
図１０によれば、水があると黒く表示され、特に本実施形態における「水２」の近赤外領域に対しては、塗布した領域６１−３において、その部分が黒くなっているのがわかる。
【０１３８】
＜解析例＞
次に、皮膚外用剤（化粧水、乳液）を塗布した場合の本実施形態における具体的な解析例について、図を用いて説明する。
【０１３９】
＜化粧水塗布：実施例１＞
図１１は、「水１」における化粧水塗布前後の輝度変化を示す図である。図１１に示す例では、塗布前、塗布直後におけるベース画像との差を画像化した例と、その差について選択範囲内において擬似カラー表示した例を示している。また、図１１の例では、皮膚表面での反射をある程度補正するために、輝度補正した後、「水１」画像からベース画像を引いた差画像を算出した。この画像では、水を塗布した部分は、白く表示される。
【０１４０】
図１１の例では、塗布領域６２に対して化粧水を塗布すると共に、ユーザによりマウス等の入力手段４１を用いてドラック等させて所定の選択範囲６３を選択させ、その選択範囲の中で画像解析手段４５により擬似カラーが設定され、画像生成手段４６によりその結果が表示されている。
【０１４１】
また、本実施形態において、擬似カラーは輝度差に応じて予め設定した色又は模様の表記を行う。つまり、変化した輝度の大きさによって擬似カラー表示し、顔画像に合成して重ねている。したがって、どの程度の差がある領域がどこにあるかを正確に把握することができる。
【０１４２】
図１１の例では、塗布前の選択範囲６３−１における擬似カラー表示と、塗布直後の選択範囲６３−２における擬似カラー表示とを比較すると、塗布直後の選択範囲６３−２の方が、輝度変化量が多いことが示されている。なお、画像解析手段４５における画像解析は、予め設定された画素単位（例えば、１×１、２×２等の正方形ピクセル等）で輝度変化値に対応した所定の色による擬似カラーを割り当ててもよい。
【０１４３】
更に、図１１の例では、画像解析手段４５により輝度変化値が取得されている。図１１の例では、ユーザにより入力手段４１等を用いて設定された１又は複数の輝度変化値測定領域（図１１の例では、輝度変化値測定領域６４−１，６４−２）が設定され、設定された領域に対して、例えば「平均輝度±標準偏差」からなる輝度変化値が表示される。
【０１４４】
図１１の例では、輝度変化値測定領域６４−１の輝度変化値は、９３．１±６．１であり、輝度変化値測定領域６４−２の輝度変化値は、７１．０±５．７であることがわかる。
【０１４５】
＜化粧水塗布：実施例２＞
図１２は、「水２」における化粧水塗布前後の輝度変化を示す図である。図１２に示す例では、図１１と同様に、塗布前、塗布直後におけるベース画像との差を画像化した例と、その差について選択範囲内において擬似カラー表示した例を示している。また、図１２の例では、皮膚表面での反射をある程度補正するために、輝度補正した後、「水２」画像からベース画像を引いた差画像を算出した。この画像では、水を塗布した部分は、白く表示される。
【０１４６】
図１２の例では、塗布領域６２に対して化粧水を塗布すると共に、ユーザによりマウス等の入力手段４１を用いてドラック等させて所定の選択範囲６３を選択させ、その選択範囲の中で画像解析手段４５により擬似カラーが設定され、画像生成手段４６によりその結果が表示されている。
【０１４７】
図１２の例では、塗布前の選択範囲６３−１における擬似カラー表示と、塗布直後の選択範囲６３−２における擬似カラー表示とを比較すると、塗布直後の選択範囲６３−２の方が、輝度変化量が特に多いことが示されている。
【０１４８】
更に、図１２の例では、画像解析手段４５により輝度変化値（図１２の例では、輝度変化値測定領域６４−１，６４−２）が設定され、設定された領域に対して、例えば「平均輝度±標準偏差」からなる輝度変化値が表示される。図１２の例では、輝度変化値測定領域６４−１の輝度変化値は、１９５．４±７．９であり、輝度変化値測定領域６４−２の輝度変化値は、１５３．６±６．０であることがわかる。つまり、「水１」のときより「水２」の方がベース画像との輝度差が大きいことがわかる。
【０１４９】
なお、上述では、化粧水塗布前後での、選択領域の水の輝度変化を、幾つかの処理をした後に算出した。また、変化した輝度の大きさによって擬似カラー表示し、顔画像に重ねて表示している。化粧水塗布部分では、「水１」、「水２」の輝度値は大きく変化した。「水１」と「水２」では、変化パターンが若干異なった。これは、波長による水の検出感度、或いは、水の波長により検出している皮膚内の深さが異なることも一因であると考えられる。（参考論文：Ｍ  Ｅｇａｗａ，Ｈ  Ａｒｉｍｏｔｏ，Ｔ  Ｈｉｒａｏ，Ｍ  Ｔａｋａｈａｓｈｉ，  ａｎｄ  Ｙ  Ｏｚａｋｉ，Ｒｅｇｉｏｎａｌ  Ｄｉｆｆｅｒｅｎｃｅ  ｏｆ  Ｗａｔｅｒ  Ｃｏｎｔｅｎｔ  ｉｎ  Ｈｕｍａｎ  Ｓｋｉｎ  Ｓｔｕｄｉｅｄ  ｂｙ  Ｄｉｆｆｕｓｅ−ｒｅｆｌｅｃｔａｎｃｅ  Ｎｅａｒ−ｉｎｆｒａｒｅｄ  Ｓｐｅｃｔｒｏｓｃｏｐｙ−Ｃｏｎｓｉｄｅｒａｔｉｏｎ  ｏｆ  Ｍｅａｓｕｒｅｍｅｎｔ  Ｄｅｐｔｈ−，Ａｐｐｌ  Ｓｐｅｃｔｒｏｓｃ，６０（１），２４−２８（２００６）．
＜（２）乳液の塗布前後とその後＞
次に、乳液の塗布前後の肌画像について図用いて説明する。図１３は、乳液の塗布前後の肌画像の一例を示す図である。なお、図１３に示す例では、塗布前と塗布直後、及び塗布後１０分経過後における「ベース」、「水１」、「油」、「水２」のそれぞれの画像が示されている。
【０１５０】
ここで、「ベース」は、中心波長を１３００ｎｍ±４０ｎｍ程度で取得した画像を示し、「水１」は、中心波長を１５００ｎｍ±４５ｎｍ程度で取得した画像を示し、「油」は、１７７５ｎｍ±５０ｎｍ程度で取得した画像をし、「水２」は、中心波長を１９２０ｎｍ±５５ｎｍ程度で取得した画像を示している。また、図１３に示す塗布直後の領域６１−１〜６１−４は、皮膚外用剤（図１３の例では乳液）を塗布した部分を示している。また、図１３では、取得した全ての図面に対して上述した輝度補正が行われている。
【０１５１】
図１３に示すように、取得される画像の領域６２−１〜６２−４は、それぞれ「ベース」、「水１」、「油」、「水２」における塗布領域を示しているが、塗布領域６２−１〜６２−４に示すように水や油があると黒くなる。なお、図１３の例では、乳液であるため、水と油が共に変化している。塗布直後に比べて、１０分後では、黒さ度合いは低下しているのがわかる。
【０１５２】
＜乳液：実施例１＞
次に、乳液における実施例について説明する。図１４は、「水１」における乳液塗布前後の輝度変化を示す図である。図１４に示す例では、塗布前、塗布直後、１０分後におけるベース画像との差を画像化した例と、その差について選択範囲内において擬似カラー表示した例を示している。また、図１４の例では、皮膚表面での反射をある程度補正するために、輝度補正した後、「水１」画像からベース画像を引いた差画像を算出した。この画像では、水を塗布した部分は、白く表示される。
【０１５３】
図１４の例では、塗布領域６２に対して化粧水を塗布すると共に、ユーザによりマウス等の入力手段４１を用いてドラック等させて所定の選択範囲６３を選択させ、その選択範囲の中で画像解析手段４５により擬似カラーが設定され、画像生成手段４６によりその結果が表示されている。
【０１５４】
また、本実施形態において、擬似カラーは輝度差に応じて予め設定した色又は模様の表記を行う。つまり、変化した輝度の大きさによって擬似カラー表示し、顔画像に合成して重ねている。したがって、どの程度の差がある領域がどこにあるかを正確に把握することができる。
【０１５５】
図１４の例では、塗布前の選択範囲６３−１における擬似カラー表示と、塗布直後の選択範囲６３−２における擬似カラー表示とを比較すると、塗布直後の選択範囲６３−２の方が、輝度変化量が多いことが示されている。更に、塗布直後の選択範囲６３−２における擬似カラー表示と、塗布１０分後の選択範囲６３−３における擬似カラー表示とを比較すると、塗布１０分後の選択範囲６３−３の方が、輝度変化量が減っていることが示されている。
【０１５６】
つまり、図１４によれば、皮膚表面での反射をある程度補正するために、輝度補正した後、水や油画像からベース画像を引いた差画像を算出しており、この画像では、水や油を塗布した部分は、白く表示される。また、乳液のため、「水１」は１０分後でも保たれている。つまり、肌に残っていることがわかる。
【０１５７】
また、化粧水塗布前後での、選択領域の「水１」の輝度変化を、上述の化粧水の例と同じように幾つかの処理をした後に算出すると、塗布直後における輝度変化値測定領域６４−１の輝度変化値は、１１９．０±１０．５であり、輝度変化値測定領域６４−２の輝度変化値は、７２．７±４．９である。また、塗布１０分後における輝度変化値測定領域６４−３の輝度変化値は、１０３．６±８．０であり、輝度変化値測定領域６４−４の輝度変化値は、７５．２±４．５であることがわかる。
【０１５８】
＜乳液：実施例２＞
次に、乳液における実施例について説明する。図１５は、「油」における乳液塗布前後の輝度変化を示す図である。図１５に示す例では、塗布前、塗布直後、１０分後におけるベース画像との差を画像化した例と、その差について選択範囲内において擬似カラー表示した例を示している。また、図１５の例では、皮膚表面での反射をある程度補正するために、輝度補正した後、「油」画像からベース画像を引いた差画像を算出した。この画像では、油を塗布した部分は、白く表示される。
【０１５９】
図１５の例では、塗布領域６２に対して化粧水を塗布すると共に、ユーザによりマウス等の入力手段４１を用いてドラック等させて所定の選択範囲６３を選択させ、その選択範囲の中で画像解析手段４５により擬似カラーが設定され、画像生成手段４６によりその結果が表示されている。
【０１６０】
また、本実施形態において、擬似カラーは輝度差に応じて予め設定した色又は模様の表記を行う。つまり、変化した輝度の大きさによって擬似カラー表示し、顔画像に合成して重ねている。したがって、どの程度の差がある領域がどこにあるかを正確に把握することができる。
【０１６１】
図１５の例では、塗布前の選択範囲６３−１における擬似カラー表示と、塗布直後の選択範囲６３−２における擬似カラー表示とを比較すると、塗布直後の選択範囲６３−２の方が、輝度変化量が多いことが示されている。更に、塗布直後の選択範囲６３−２における擬似カラー表示と、塗布１０分後の選択範囲６３−３における擬似カラー表示とを比較すると、塗布１０分後の選択範囲６３−３の方が、輝度変化量が減っていることが示されている。
【０１６２】
つまり、図１５によれば、皮膚表面での反射をある程度補正するために、輝度補正した後、水や油画像からベース画像を引いた差画像を算出しており、この画像では、水や油を塗布した部分は、白く表示される。また、乳液のため、「油」は１０分後でも保たれている。つまり、肌に残っていることがわかる。
【０１６３】
また、化粧水塗布前後での、選択領域の「油」の輝度変化を、上述の化粧水の例と同じように幾つかの処理をした後に算出すると、塗布直後における輝度変化値測定領域６４−１の輝度変化値は、１４６．８±１０．４であり、輝度変化値測定領域６４−２の輝度変化値は、１０９．９±５．８である。また、塗布１０分後における輝度変化値測定領域６４−３の輝度変化値は、１３２．５±５．８であり、輝度変化値測定領域６４−４の輝度変化値は、１０３．２±５．０であることがわかる。
【０１６４】
＜乳液：実施例３＞
次に、乳液における実施例について説明する。図１６は、「水２」における乳液塗布前後の輝度変化を示す図である。図１６に示す例では、塗布前、塗布直後、１０分後におけるベース画像との差を画像化した例と、その差について選択範囲内において擬似カラー表示した例を示している。また、図１６の例では、皮膚表面での反射をある程度補正するために、輝度補正した後、「水２」画像からベース画像を引いた差画像を
図１６の例では、塗布領域６２に対して化粧水を塗布すると共に、ユーザによりマウス等の入力手段４１を用いてドラック等させて所定の選択範囲６３を選択させ、その選択範囲の中で画像解析手段４５により擬似カラーが設定され、画像生成手段４６によりその結果が表示されている。
【０１６５】
また、本実施形態において、擬似カラーは輝度差に応じて予め設定した色又は模様の表記を行う。つまり、変化した輝度の大きさによって擬似カラー表示し、顔画像に合成して重ねている。したがって、どの程度の差がある領域がどこにあるかを正確に把握することができる。
【０１６６】
図１６の例では、塗布前の選択範囲６３−１における擬似カラー表示と、塗布直後の選択範囲６３−２における擬似カラー表示とを比較すると、塗布直後の選択範囲６３−２の方が、輝度変化量が多いことが示されている。更に、塗布直後の選択範囲６３−２における擬似カラー表示と、塗布１０分後の選択範囲６３−３における擬似カラー表示とを比較すると、塗布１０分後の選択範囲６３−３の方が、輝度変化量が減っていることが示されている。
【０１６７】
つまり、図１６によれば、皮膚表面での反射をある程度補正するために、輝度補正した後、水や油画像からベース画像を引いた差画像を算出しており、この画像では、水や油を塗布した部分は、白く表示される。また、乳液のため、「水２」は１０分後でも保たれている。つまり、肌に残っていることがわかる。
【０１６８】
また、化粧水塗布前後での、選択領域の「水２」の輝度変化を、上述の化粧水の例と同じように幾つかの処理をした後に算出すると、塗布直後における輝度変化値測定領域６４−１の輝度変化値は、１９４．３±１４．８であり、輝度変化値測定領域６４−２の輝度変化値は、１３９．０±４．９である。また、塗布１０分後における輝度変化値測定領域６４−３の輝度変化値は、１８４．５±１０．６であり、輝度変化値測定領域６４−４の輝度変化値は、１３９．２±５．０であることがわかる。
【０１６９】
塗布直後では、「油」、「水１」、「水２」が共に塗布した部分が変化している。また、その変化は、「水２」＞「水１」であったが、この要因は、前述のように撮影感度、及び、撮影深さの可能性がある。また、塗布１０分後では、「水１」、「水２」、「油」が共に直後よりも減少しているが、まだ充分存在していることがわかる。
【０１７０】
また、塗布部位以外を見ると、「油」では変化がほぼないのに対して、「水２」では、塗布前に比べて、１０分後の方が、輝度値が変化すると水が増加している。これは、塗布は、洗顔１０分後に行ったが、その後、元々もっている肌の機能で、洗顔によって消失した水分量が回復してきた過程を検出している可能性がある。
【０１７１】
上述したように、複数の近赤外領域でおの画像を組み合わせると、乳液のように水と油の両方の変化を追いたいサンプルに対して、同時解析が可能になる。
【０１７２】
＜（３）ヘアトリートメントの塗布前後＞
次に、ヘアトリートメントの塗布前後の肌画像について図用いて説明する。図１７は、ヘアトリートメントの塗布前後の頭髪の一例を示す図である。なお、図１７の例では、塗布前と塗布直後、及び塗布後１０分経過後における「ベース」、「水１」、「油」、「水２」のそれぞれの画像が示されている。
【０１７３】
ここで、「ベース」は、中心波長を１３００ｎｍ±４０ｎｍ程度で取得した画像を示し、「水１」は、中心波長を１５００ｎｍ±４５ｎｍ程度で取得した画像を示し、「水２」は、中心波長を１９２０ｎｍ±５５ｎｍ程度で取得した画像を示している。また、図１７に示す塗布直後の領域６１−１〜６１−３は、皮膚外用剤（図１７の例ではヘアートリートメント）を塗布した部分を示している。また、図１７では、取得した全ての図面に対して上述した輝度補正が行われている。
【０１７４】
図１７に示すように、取得される画像の領域６２−１〜６２−３は、それぞれ「ベース」、「水１」、「水２」における塗布領域を示しているが、塗布領域６２−１〜６２−３に示すように水があると黒くなる。
【０１７５】
つまり、図１７では、上述した照明装置１１に、後頭部をむけて撮影した。図１７の例では、水があると黒くなる。ここで、毛髪は、皮膚と違って、もともとの水分量は非常に少ないため、白く写る。ベース画像の塗布直後で黒い部分がある理由は、水系のトリートメントを噴霧すると、しっとりして、噴霧した部分が束になったため、髪の毛が束になって浮いたようになっている。
【０１７６】
図１７に示す「水１」、「水２」画像では、噴霧した部分が、水の吸収で黒く写っている。「水１」と「水２」では、写り方が異なるが、これは、波長による水の検出感度、或いは、撮影深さの違いがあると考えられる。
【０１７７】
＜第２の実施形態＞
次に、第２の実施形態について説明する。第２の実施形態では、上述した実施形態で示した内容について、ユーザに提示する画面をよりユーザにわかり易く示したものである。
【０１７８】
ここで、図１８は、他の実施形態における化粧水塗布前後の輝度変化の一例を示す図である。また、図１９は、図１８に対応する選択範囲擬似カラー表示の一例を示す図である。
【０１７９】
なお、図１８及び図１９は、塗布直後における塗布前からの変化（「水１」−「ベース」）、（「油」−「ベース」）、（「水２」−「ベース」）を示している。なお、化粧水は、皮膚外用剤の塗布領域７１にそれぞれ示している。また、「水１」、「水２」の場合と、「油」の場合とで輝度変化の差分画像の色を変えて示している。図１８では、何れも塗布領域７１では、色が濃く表示され、差分値が大きかったことを示している。
【０１８０】
図１９では、上述した擬似カラーを割り当てる選択範囲７２と、各条件における輝度変化値測定領域７３−１〜７３−３が示されている。塗布直後における塗布前からの変化において、「水１」−「ベース」の場合、輝度変化値測定領域７３−１の輝度変化値は、１８５．６±２２．７であり、輝度変化値測定領域７３−２の輝度変化値は、２０５．７±１７．９であり、輝度変化値測定領域７３−３の輝度変化値は、２３８．７±１６．０であることがわかる。また、「油」−「ベース」の場合、輝度変化値測定領域７３−１の輝度変化値は、２１３．７±２２．４であり、輝度変化値測定領域７３−２の輝度変化値は、２３４．８±１６．５であり、輝度変化値測定領域７３−３の輝度変化値は、２５４．０±５．２であることがわかる。更に、「水２」−「ベース」の場合、輝度変化値測定領域７３−１の輝度変化値は、１３８．４±２１．２であり、輝度変化値測定領域７３−２の輝度変化値は、１９３．０±２１．５であり、輝度変化値測定領域７３−３の輝度変化値は、２５４．９±１．６であることがわかる。
【０１８１】
図１９では、塗布前からの変化においては、「油」の方は変化が少なく、「水１」、「水２」の方は変化が大きいことが分かる。更に、「水１」よりも「水２」の方が、変化が大きいことが分かる。
【０１８２】
ここで、図２０は、他の実施形態における乳液塗布前後の輝度変化の一例を示す図である。また、図２１は、図２０に対応する選択範囲擬似カラー表示の一例を示す図である。
【０１８３】
なお、図２０及び図２１は、塗布直後及び塗布１０分後における塗布前からの変化（「水１」−「ベース」）、（「油」−「ベース」）、（「水２」−「ベース」）を示している。なお、化粧水は、皮膚外用剤の塗布領域７１にそれぞれ示している。また、「水１」、「水２」の場合と、「油」の場合とで輝度変化の差分画像の色を変えて示している。図２０では、何れも塗布領域７１では、色が濃く表示され、差分値が大きかったことを示している。更に、塗布１０分後でも塗布領域には、同様の輝度変化が見られる。
【０１８４】
図２１では、上述した擬似カラー選択範囲７２と、各条件における輝度変化値測定領域７３−４，７３−５が示されている。塗布直後における塗布前からの変化において、「水１」−「ベース」の場合、輝度変化値測定領域７３−４の輝度変化値は、１３４．０±１９．４であり、輝度変化値測定領域７３−５の輝度変化値は、２４７．４±９．０であることがわかる。また、塗布１０分後における塗布前からの変化においては、輝度変化値測定領域７３−４の輝度変化値は、１２８．４±３０．３であり、輝度変化値測定領域７３−５の輝度変化値は、２３３．１±１２．１であることがわかる。
【０１８５】
また、塗布直後における塗布前からの変化において、「油」−「ベース」の場合、輝度変化値測定領域７３−４の輝度変化値は、１５３．１±２４．９であり、輝度変化値測定領域７３−５の輝度変化値は、２２９．４±１５．９であることがわかる。また、塗布１０分後における塗布前からの変化においては、輝度変化値測定領域７３−４の輝度変化値は、１４３．６±２７．３であり、輝度変化値測定領域７３−５の輝度変化値は、２２６．５±１５．９であることがわかる。
【０１８６】
更に、塗布直後における塗布前からの変化において、「水２」−「ベース」の場合、輝度変化値測定領域７３−４の輝度変化値は、６９．５±３１．２であり、輝度変化値測定領域７３−５の輝度変化値は、２２２．８±１５．３であることがわかる。また、塗布１０分後における塗布前からの変化においては、輝度変化値測定領域７３−４の輝度変化値は、７９．８±２７．１であり、輝度変化値測定領域７３−５の輝度変化値は、１７９．２±１７．０であることがわかる。
【０１８７】
上述したように、ユーザが指定した輝度変化値測定領域に対する輝度変化値を提示することで、任意の場所に対する変化値を容易に提示することができ、輝度差を数値により明確にすることで容易に把握することができる。
【０１８８】
なお、上述した画像は、リアルタイムに被写体やユーザに見せることもできるため、皮膚外用剤を塗布しながら化粧カウンセリングを行うといったこともできる。
【０１８９】
更に、取得した画像を被写体毎に管理して蓄積しておき、ある纏まったデータを用いて統計処理的を行い、経時的な評価を行うこともできる。また、４波長使って肌や毛髪等を解析することができる。
【０１９０】
上述したように、本発明によれば、近赤外領域の画像を高精度に撮影することができる。したがって、近赤外領域の画像を用いて皮膚の解析を高精度に行うことができる。また、本発明によれば、基剤中の水の存在状態の検討や、処方による水の状態の違いのイメージング、皮膚拡大画像（皮丘皮溝での水の塗布状態）、毛髪拡大画像、爪の水分のイメージング等の解析も可能である。
【０１９１】
また、本発明によれば、化粧を塗る位置毎或いは使用者毎に、塗り方についてカウンセラーによるカウンセリングを実施することができ、その他、広く美容法の評価にも活用することができる。
【０１９２】
具体的には、本発明によれば、例えば近赤外画像を用いた水分分布状態解析から肌の露出を評価することによる洗浄料の洗浄効果評価や、近赤外画像を用いた水分分布状態解析から肌の露出を評価することによるファンデーション（ＦＤ）付着状態評価法等のメーキャップ化粧料塗布状態評価等に適用することができる。
【０１９３】
更に、本発明によれば、近赤外画像を用いた特定成分の分布解析による新たな肌質分類法として、水分及び油分分布を用いたによる肌質評価法や、近赤外画像を用いた分布状態解析による肌質の評価プログラム、洗浄料の保湿効果評価法、近赤外画像を用いた水分分布状態解析による洗浄料の保湿効果評価法等の幅広い分野で適用することができる。
【０１９４】
以上本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１９５】
１０  照明システム
１１  照明装置
１２  画像解析装置
１３  ケーブル
２１  ドーム（筐体）
２２  光源
２３  顎乗せ部材
２４  撮像装置
２５  スライドレール
２６  カメラ用土台
３０  光源前遮光板
３１  レンズ前遮光板
３２  台座
３３  額保持部材
３４，３９  開口部
３５  第１のフィルタ
３６  第２のフィルタ
３７  第３のフィルタ
３８  フィルタスライド機構
４０  色票
４１  入力手段
４２  出力手段
４３  蓄積手段
４４  撮影画像取得手段
４５  画像解析手段
４６  画像生成手段
４７  制御手段
５１  入力装置
５２  出力装置
５３  ドライブ装置
５４  補助記憶装置
５５  メモリ装置
５６  ＣＰＵ
５７  ネットワーク接続装置
５８  記録媒体
６１  領域
６２，７１  塗布領域
６３，７２  選択範囲
６４，７３  輝度変化値測定領域
【図１】
2011209265.tif 000003
【図２】
2011209265.tif 000004
【図３】
2011209265.tif 000005
【図４】
2011209265.tif 000006
【図５】
2011209265.tif 000007
【図６】
2011209265.tif 000008
【図７】
2011209265.tif 000009
【図８】
2011209265.tif 000010
【図９】
2011209265.tif 000011
【図１０】
2011209265.tif 000012
【図１１】
2011209265.tif 000013
【図１２】
2011209265.tif 000014
【図１３】
2011209265.tif 000015
【図１４】
2011209265.tif 000016
【図１５】
2011209265.tif 000017
【図１６】
2011209265.tif 000018
【図１７】
2011209265.tif 000019
【図１８】
2011209265.tif 000020
【図１９】
2011209265.tif 000021
【図２０】
2011209265.tif 000022
【図２１】
2011209265.tif 000023
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
複数の異なる近赤外領域において被写体の顔画像を撮像手段により撮影するための照明装置であって、
前記被写体の顔全体の部分を収容し略球状の空間が形成された筐体と、
前記球状の面において前記被写体の左右対象の位置にそれぞれ１又は複数配置し、前記筐体の空間内に光を照射する少なくとも２つの光源と、
前記光源による光が照射された前記顔全体の部分を撮影する撮像手段とを有し、
前記光源の前に設置される紫外線及び赤外線を遮断する第１のフィルタと、前記撮像手段のレンズの前に設置される光量を調整する第２のフィルタ及び前記複数の異なる近赤外領域に対応させたバンドパスフィルタリングを行う第３のフィルタとを有することを特徴とする照明装置。
【請求項２】
前記光源からの光が前記被写体に直接照射されないように、前記筐体内部に第１の遮光板を有することを特徴とする請求項１に記載の照明装置。
【請求項３】
前記撮像手段のレンズの前に第２の遮光板を有することを特徴とする請求項１又は２に記載の照明装置。
【請求項４】
前記第２のフィルタ及び第３のフィルタの種類を変更するためのスライド機構を有することを特徴とする請求項１乃至３の何れか１項に記載の照明装置。
【請求項５】
前記筐体内部は、所定の塗料を重ね塗りすることを特徴とする請求項１乃至４の何れか１項に記載の照明装置。
【請求項６】
前記光源は、近赤外領域を撮影するためのハロゲン光源又はＬＥＤであることを特徴とする請求項１乃至５の何れか１項に記載の照明装置。
【請求項７】
被写体の顔全体の部分を収容し略球状の空間が形成された筐体と、前記球状の面において前記被写体の左右対象の位置にそれぞれ１又は複数配置し、前記筐体の空間内に光を照射する少なくとも２つの光源と、前記光源による光が照射された前記顔全体の部分を撮影する撮像手段とを有し、前記光源の前に設置される紫外線及び赤外線を遮断する第１のフィルタと、前記撮像手段のレンズの前に設置される光量を調整する第２のフィルタ及び前記複数の異なる近赤外領域に対応させたバンドパスフィルタリングを行う第３のフィルタとを有する照明装置により撮影された複数の異なる近赤外領域における被写体の顔画像を用いて、該被写体の皮膚の解析を行う画像解析装置であって、
前記被写体に皮膚外用剤を塗布する前後における前記顔画像を取得する画像取得手段と、
前記画像取得手段により取得した画像に輝度補正を行う輝度補正手段と、
前記輝度補正手段により得られた前記皮膚外用剤を塗布する前後の画像の差分量を前記複数の異なる近赤外領域毎に取得する差分量取得手段と、
前記差分量取得手段により得られる差分量に基づいて前記被写体の皮膚を解析する解析手段と、
前記解析手段により得られた解析結果を表示する画面を生成する画面生成手段とを有することを特徴とする画像解析装置。
【請求項８】
前記複数の近赤外領域は、１１００〜１３６０ｎｍ、１３００〜１６４０ｎｍ、１８６０〜２２００ｎｍ、１７００〜１８６０ｎｍ、及び２２３０〜２４００ｎｍのうち、少なくとも２つの帯域であることを特徴とする請求項７に記載の画像解析装置。
【請求項９】
前記画面生成手段は、
前記差分量取得手段により得られた差分量の大きさに基づいて予め設定された色又は模様により所定の画素毎に強調表示した画面を生成することを特徴とする請求項７又は８に記載の画像解析装置。
【請求項１０】
前記解析手段は、
前記画面生成手段により得られた解析結果の画面から、ユーザにより設定される前記画面中の所定領域に対する輝度変化値を算出することを特徴とする請求項７乃至９の何れか１項に記載の画像解析装置。
【手続補正２】
【補正対象書類名】明細書
【補正対象項目名】００２５
【補正方法】変更
【補正の内容】
【００２５】
請求項７に記載された発明は、被写体の顔全体の部分を収容し略球状の空間が形成された筐体と、前記球状の面において前記被写体の左右対象の位置にそれぞれ１又は複数配置し、前記筐体の空間内に光を照射する少なくとも２つの光源と、前記光源による光が照射された前記顔全体の部分を撮影する撮像手段とを有し、前記光源の前に設置される紫外線及び赤外線を遮断する第１のフィルタと、前記撮像手段のレンズの前に設置される光量を調整する第２のフィルタ及び前記複数の異なる近赤外領域に対応させたバンドパスフィルタリングを行う第３のフィルタとを有する照明装置により撮影された複数の異なる近赤外領域における被写体の顔画像を用いて、該被写体の皮膚の解析を行う画像解析装置であって、前記被写体に皮膚外用剤を塗布する前後における前記顔画像を取得する画像取得手段と、前記画像取得手段により取得した画像に輝度補正を行う輝度補正手段と、前記輝度補正手段により得られた前記皮膚外用剤を塗布する前後の画像の差分量を前記複数の異なる近赤外領域毎に取得する差分量取得手段と、前記差分量取得手段により得られる差分量に基づいて前記被写体の皮膚を解析する解析手段と、前記解析手段により得られた解析結果を表示する画面を生成する画面生成手段とを有することを特徴とする。
【手続補正３】
【補正対象書類名】図面
【補正対象項目名】図６
【補正方法】変更
【補正の内容】
【図６】
2011209265.tif 000024